Podtech/llm-jp-corpus-v4-ja_patent huggingface dataset:
【手続補正書】
【提出日】令和2年6月29日(2020.6.29)
【手続補正１】
【補正対象書類名】特許請求の範囲
【補正対象項目名】全文
【補正方法】変更
【補正の内容】
【特許請求の範囲】
【請求項１】
防汚性物品の製造方法において、
ａ）液体担体、アニオン性フッ素系界面活性剤、及びポリマーバインダを含有する混合物を混合する工程と、
ｂ）前記混合物を乾燥させて、液体担体を実質的に含有しない粉体コーティング前駆体混合物を形成する工程と、
ｃ）前記粉体コーティング前駆体混合物を基材に塗布する工程と、
ｄ）前記粉体コーティング前駆体混合物を硬化して、前記防汚性物品を形成する工程とを備え、
工程ａ）の混合が、前記アニオン性界面活性剤及び前記ポリマーバインダの溶融温度未満の温度で行われる、防汚性物品の製造方法。
【請求項２】
前記温度が、４８．９℃（１２０°Ｆ）未満である、請求項１に記載の防汚性物品の製造方法。
【請求項３】
工程ｂ）中、前記ポリマーバインダ及びアニオン性界面活性剤が、９０℃〜１１０℃の範囲の温度で、押出機中で混合される、請求項１又は２に記載の防汚性物品の製造方法。
【請求項４】
工程ｂ）の後かつ工程ｃ）の前に、前記粉体コーティング混合物がペレット化される、請求項３に記載の防汚性物品の製造方法。
【請求項５】
前記アニオン性フッ素系界面活性剤が、前記粉体コーティング前駆体混合物の総重量を基準にして、約０．０５重量％〜約４重量％の範囲の量で存在する、請求項１〜４のいずれか一項に記載の防汚性物品の製造方法。
【請求項６】
前記ポリマーバインダが、４５℃〜８０℃の範囲のガラス転移温度を有する、請求項１〜５のいずれか一項に記載の防汚性物品の製造方法。
【請求項７】
前記アニオン性界面活性剤及び前記液体担体が、前記ポリマーバインダと組み合わされる前に一緒に予め混合される、請求項１〜６のいずれか一項に記載の防汚性物品の製造方法。
【請求項８】
前記液体担体が水である、請求項１〜７のいずれか一項に記載の防汚性物品の製造方法。
【請求項９】
前記粉体コーティング前駆体混合物が、約１６０℃〜約２１０℃の範囲の温度で硬化される、請求項１〜８のいずれか一項に記載の防汚性物品の製造方法。
【請求項１０】
基材に塗布された粉体コーティングを備えた物品において、前記粉体コーティングが、ポリマー樹脂と、架橋剤と、液体担体及びフッ素系界面活性剤のブレンドとを含有する前駆体から形成される物品。
【請求項１１】
前記フッ素系界面活性剤がアニオン性である、請求項１０に記載の物品。
【請求項１２】
前記液体担体が水である、請求項１０〜１１のいずれか一項に記載の物品。
【請求項１３】
ポリマー樹脂と、
架橋剤と、
液体担体と、
イオン性のフッ素系界面活性剤とのブレンドを含有する粉体コーティング組成物。
【請求項１４】
前記液体担体は水である、請求項１３に記載の粉体コーティング組成物。
【手続補正書】
【提出日】令和2年7月16日(2020.7.16)
【手続補正１】
【補正対象書類名】特許請求の範囲
【補正対象項目名】全文
【補正方法】変更
【補正の内容】
【特許請求の範囲】
【請求項１】
(ｉ)約０.０００１〜０.５％(ｗ／ｗ)の量のサルビゲニンおよび／または約０.０５〜５％(ｗ／ｗ)の量のアシアチコシドを含む活性剤；
(ii)約１.０〜１０％(ｗ／ｗ)の量の増粘剤；
(iii)約５〜３０％(ｗ／ｗ)の量の軟膏基剤；
(iv)約０.００５〜０.２％(ｗ／ｗ)の量の抗菌性防腐剤；および
(ｖ)約０.５〜１０％(ｗ／ｗ)の量の乳化剤
を含む、局所製剤。
【請求項２】
活性剤がプレクトランサス・アンボイニクス(Plectranthus amboinicus)抽出物、センテラ・アジアチカ(Centella asiatica)抽出物またはそれらの組み合わせであり、該プレクトランサス・アンボイニクス抽出物および／またはセンテラ・アジアチカ抽出物がサルビゲニンおよび／またはアシアチコシドを含む、請求項１に記載の局所製剤。
【請求項３】
活性剤が局所製剤に約０.１〜３０％(ｗ／ｗ)の量である、請求項１または２に記載の局所製剤。
【請求項４】
局所製剤が０.０００１〜０.１％(ｗ／ｗ)の範囲のサルビゲニンを含むおよび／または局所製剤が０.０５〜１％(ｗ／ｗ)の範囲のアシアチコシドを含む、請求項１〜３の何れかに記載の局所製剤。
【請求項５】
活性剤がさらにシルシマリチン、マデカソサイドまたはそれらの組み合わせを含む、請求項１〜４の何れかに記載の局所製剤。
【請求項６】
局所製剤において、軟膏基剤が約１０〜３０％(ｗ／ｗ)であり、抗菌性防腐剤が約０.０１〜０.２％(ｗ／ｗ)であり、乳化剤が約０.５〜６％(ｗ／ｗ)である、請求項１〜５の何れかに記載の局所製剤。
【請求項７】
プレクトランサス・アンボイニクス抽出物がプレクトランサス・アンボイニクス全体またはその一部と７未満の極性指数を有する溶媒を接触させて、溶液を調製し、該溶液を乾燥させて、プレクトランサス・アンボイニクス抽出物を取得することにより製造する、請求項２〜６の何れかに記載の局所製剤。
【請求項８】
局所製剤がプレクトランサス・アンボイニクス抽出物およびセンテラ・アジアチカ抽出物の両方を重量比約１：１０〜１０：１、好ましくは約１：５〜５：１で含む、請求項２〜７の何れかに記載の局所製剤。
【請求項９】
増粘剤がセトステアリルアルコール、コレステロール、ステアリルアルコール、クロロクレゾール、白色蝋、ステアリン酸、セチルアルコールまたはそれらの組み合わせであり、軟膏基剤が１以上のワセリン化合物を含みおよび／または抗菌性防腐剤が１以上のパラベン化合物を含む、請求項１〜８の何れかに記載の局所製剤。
【請求項１０】
軟膏基剤がクリーム基剤である、請求項１〜９の何れかに記載の局所製剤。
【請求項１１】
製剤がさらに１以上の溶媒を含む、請求項１〜１０の何れかに記載の局所製剤。
【請求項１２】
１以上の溶媒がプロピレングリコールを含む、請求項１１に記載の局所製剤。
【請求項１３】
局所製剤が約０.１〜３０％(ｗ／ｗ)の量のプレクトランサス・アンボイニクス抽出物とセンテラ・アジアチカ抽出物の組み合わせ、約１.０〜１０％(ｗ／ｗ)の量のセトステアリルアルコール、約５〜３０％(ｗ／ｗ)の総量の白色ワセリンと液体ワセリンの組み合わせ、約０.００５〜０.２％(ｗ／ｗ)の総量のメチルパラベンとプロピルパラベンの組み合わせおよび約０.５〜１０％(ｗ／ｗ)の総量のソルビタンモノステアレートとポリソルベート６０の組み合わせを含む、請求項１に記載の局所製剤。
【請求項１４】
約２〜２０％(ｗ／ｗ)の量のプロピレングリコールをさらに含む、請求項１３に記載の局所製剤。
【請求項１５】
対象における創傷治癒促進のために使用する、請求項１〜１４の何れかに記載の局所製剤。
【請求項１６】
製剤が少なくとも１日１回、好ましくは１日２回局所投与するためである、請求項１５に記載の局所製剤。
【請求項１７】
対象が糖尿病性足部潰瘍を有するヒト糖尿病患者である、請求項１５または請求項１６に記載の局所製剤。
【請求項１８】
対象が、所望により擦過傷、切創、裂傷、刺傷または剥脱創である開放創を有するヒト患者である、請求項１５〜１７の何れかに記載の局所製剤。
【請求項１９】
対象が、所望により手術創、外傷性創傷、圧迫潰瘍、静脈性潰瘍、糖尿病性潰瘍または癌、熱傷、褥瘡もしくはアトピー性皮膚炎が原因の創傷である慢性創傷を有するヒト患者である、請求項１５または請求項１６に記載の局所製剤。
【請求項２０】
対象がアクネを有するヒト患者である、請求項１５または請求項１６に記載の局所製剤。
【手続補正２】
【補正対象書類名】明細書
【補正対象項目名】００１８
【補正方法】変更
【補正の内容】
【００１８】
一例において、ここに記載する局所製剤は、約０.１〜３０％(ｗ／ｗ)の量のプレクトランサス・アンボイニクス抽出物とセンテラ・アジアチカ抽出物の組み合わせ、約１.０〜１０％(ｗ／ｗ)(例えば、約２〜８％または約３〜７％)の量のセトステアリルアルコール、約５〜３０％(ｗ／ｗ)(例えば、約５〜２５％または約５〜２０％)の総量の白色ワセリンと液体ワセリンの組み合わせ、約０.００５〜０.２％(ｗ／ｗ)の総量のメチルパラベンとプロピルパラベンの組み合わせおよび約０.５〜１０％(ｗ／ｗ)(例えば、０.５〜８％または０.５〜６％)の総量のソルビタンモノステアレートとポリソルベート６０の組み合わせを含む。このような局所製剤は、さらに約２〜２０％(ｗ／ｗ)(例えば、２〜１０％または４〜１５％)の量のプロピレングリコールを含み得る。
【手続補正書】
【提出日】令和2年4月9日(2020.4.9)
【手続補正１】
【補正対象書類名】特許請求の範囲
【補正対象項目名】全文
【補正方法】変更
【補正の内容】
【特許請求の範囲】
【請求項１】
人の耳の外耳道を灌注するための装置であって、
一方の人の耳を受け入れるようなサイズ及び寸法の空洞を有し、人の耳の上に装着されるようなサイズ及び寸法の耳当てを含み、
前記耳当てが、カニューレが選択的に脱着式に物理的に連結可能なカニューレ連結器インターフェースと、洗浄液流体連絡経路と、排出物流体連絡経路と、ハウジングと、を有し、
前記洗浄液流体連絡経路は、前記カニューレが前記カニューレ連結器インターフェースと連結されたときに、洗浄剤リザーバに収納された洗浄剤が前記洗浄剤リザーバを出て前記洗浄剤流体連絡経路を通って前記カニューレへと進むように、前記洗浄剤リザーバと前記カニューレ連結器インターフェースとの間の流体連絡を提供し、
前記排出物流体連絡経路は、前記カニューレが前記カニューレ連結器インターフェースと連結されたときに、前記耳からの排出物が前記カニューレを出て前記排出物流体連絡経路を通って排出物収集リザーバへと進むように、前記排出物収集リザーバと前記カニューレ連結器インターフェースとの間の流体連絡を提供し、
前記ハウジングは、前記洗浄剤リザーバと前記排出物収集リザーバとを前記ハウジングの一部に固定するために使用可能な一つ以上の連結機構を含む、装置。
【請求項２】
前記耳当ては、第１の耳当てであり、
前記洗浄剤リザーバは、第１の洗浄剤リザーバであり、
前記排出物収集リザーバは、第１の排出物収集リザーバであり、
前記カニューレ連結器インターフェースは、第１のカニューレ連結器インターフェースであり、
前記洗浄液流体連絡経路は、第１の洗浄液流体連絡経路であり、
前記排出物流体連絡経路は、第１の排出物流体連絡経路であり、
前記装置は、一方の人の耳を受け入れるようなサイズ及び寸法の空洞を有し、人の耳の上に装着されるようなサイズ及び寸法の第２の耳当てを更に含み、
前記第２の耳当てが、
カニューレが選択的に脱着式に物理的に連結可能な第２のカニューレ連結器インターフェースと、
第２の洗浄剤リザーバと前記第２のカニューレ連結器インターフェースとの間の流体連絡を提供する第２の洗浄液流体連絡経路と、
第２の排出物収集リザーバと前記第２のカニューレ連結器インターフェースとの間の流体連絡を提供する第２の排出物流体連絡経路と、
を含む、請求項１に記載の装置。
【請求項３】
前記洗浄液流体連絡経路は、前記カニューレが前記カニューレ連結器インターフェースに連結されるときに前記カニューレの灌注インレットポートと噛み合う洗浄剤ポートを有し、
前記排出物流体連絡経路は、前記カニューレが前記カニューレ連結器インターフェースに連結されるときに前記カニューレの排出物収集アウトレットポートと噛み合う真空ポートを有する、請求項１に記載の装置。
【請求項４】
前記耳当てが、前記一方の耳を受け入れるようなサイズ及び寸法の前記空洞を少なくとも部分的に形成する、弾性又は整合的な環状メンブレンを更に含む、請求項１に記載の装置。
【請求項５】
前記耳当てが、
前記洗浄剤を保持するための前記洗浄剤リザーバと、
前記排出物を収集するための前記排出物収集リザーバと、
前記排出物収集リザーバと前記洗浄剤リザーバの一方又は両方が選択的に脱着可能な蓋部を含む前記ハウジングと、
を更に含む、請求項１に記載の装置。
【請求項６】
前記耳当てが、前記洗浄液流体連絡経路に沿って前記洗浄剤リザーバから前記カニューレ連結器インターフェースに向かって前記洗浄剤を移動させるように流体で連結された少なくとも１つのポンプアセンブリを更に含む、請求項１に記載の装置。
【請求項７】
前記耳当てが、前記排出物流体連絡経路に沿って前記カニューレ連結器インターフェースから前記排出物収集リザーバに向かって前記排出物を移動させるために負圧を加えるように流体で連結された少なくとも１つのポンプアセンブリを更に含む、請求項１に記載の装置。
【請求項８】
前記耳当てが、前記ハウジングに収容され、前記少なくとも１つのポンプアセンブリを制御するように通信可能に連結されたセットのコントローラ回路を更に含む、請求項６又は７に記載の装置。
【請求項９】
前記耳当てが、前記装置の外部からアクセス可能ないくつかのユーザ実行可能選択可能制御部を更に含み、
前記ユーザ実行可能選択可能制御部が、前記少なくとも１つのポンプアセンブリを制御するように通信可能に連結された前記セットのコントローラ回路に通信可能に連結される、請求項８に記載の装置。
【請求項１０】
近接端及び遠位端と、
前記近接端に位置決めされた灌注インレットポートと、
前記近接端に位置決めされた排出物収集アウトレットポートと、
前記灌注インレットポートに関して比較的前記遠位端に向かって位置決めされた複数の灌注アウトレットアパーチャであって、前記灌注インレットポートと流体で連絡している、灌注アウトレットアパーチャと、
前記排出物収集アウトレットポートに関して比較的前記遠位端に向かって位置決めされた排出物収集インレットポートであって、前記排出物収集アウトレットポートと流体で連絡している、排出物収集インレットポートと、
を有する前記カニューレを更に含む、請求項１に記載の装置。
【請求項１１】
前記カニューレが、前記排出物収集インレットポートと前記排出物収集アウトレットポートとの間に伸びる流路と、前記排出物収集インレットポートと前記排出物収集アウトレットポートとの間の流路内に位置決めされたトラップと、を更に含み、
前記トラップは、ある量の液体及び空気のうちの少なくとも一方を通す間に物理的デブリをトラップするように構成されている、請求項１０に記載の装置。
【請求項１２】
プロセッサと、
前記プロセッサに通信可能に連結された非一時的コンピュータ可読媒体と、を更に含み、
前記非一時的コンピュータ可読媒体が、
前記少なくとも１つのポンプアセンブリに、前記洗浄液流体連絡経路に沿って前記洗浄剤リザーバから第１の量の前記洗浄液を分配させるか、又は、前記排出物流体連絡経路の少なくとも一部分に沿って負圧を発生させる、いくつかの信号を前記少なくとも１つのポンプアセンブリに提供するように前記プロセッサを明確にプログラムするプロセッサ実行可能命令を記憶する、請求項６又は７に記載の装置。
【請求項１３】
先細型の本体と、前記カニューレの遠位端における斜角を付けた部分と、を有する前記カニューレを更に含む、請求項１に記載の装置。
【請求項１４】
前記カニューレ連結器インターフェースが、前記カニューレの対応するインターフェースに物理的に係合するように構成された環状壁を有する、請求項１に記載の装置。
【請求項１５】
前記一つ以上の連結機構は、前記排出物収集リザーバの隣に前記洗浄剤リザーバを固定するように使用可能である、請求項１に記載の装置。
【手続補正書】
【提出日】令和2年5月1日(2020.5.1)
【手続補正１】
【補正対象書類名】特許請求の範囲
【補正対象項目名】全文
【補正方法】変更
【補正の内容】
【特許請求の範囲】
【請求項１】
創傷監視装置であって、
創傷または前記創傷を囲む皮膚のうちの一つ以上と接触して位置するように構成される、創傷被覆材を備え、前記創傷被覆材は、複数のセンサを支持する、少なくとも一つの実質的に可撓性のある基材を備え、前記複数のセンサのうちの第１センサは、前記基材上に位置し、前記創傷を囲む前記皮膚の測定を得るように構成される、装置。
【請求項２】
前記複数のセンサのうちの第２センサは、前記基材上に位置し、前記創傷の測定を得るように構成される、請求項１に記載の装置。
【請求項３】
前記基材は、前記創傷の面積を少なくとも一部超えて延在するサイズであり、前記創傷を囲む皮膚の上に少なくとも一部位置するように構成される、請求項１または２に記載の装置。
【請求項４】
前記創傷被覆材は、創傷接触層を備える、請求項１〜３のいずれか一項に記載の装置。
【請求項５】
前記少なくとも一つの実質的に可撓性のある基材は、実質的に可撓性のあるプリント回路、または実質的に可撓性のある非導電メッシュのうちの少なくとも一つを備える、請求項１〜４のいずれか一項に記載の装置。
【請求項６】
前記実質的に可撓性のあるプリント回路は、可撓性ポリマーを含む、請求項５に記載の装置。
【請求項７】
前記複数のセンサのうちの少なくとも一部は、互いに電気的に接続され、前記複数のセンサは、コントローラおよび電源と電気的に接続されるように構成される、請求項１〜６のいずれか一項に記載の装置。
【請求項８】
前記コントローラは、前記複数のセンサからデータを受信し、前記創傷と関連する一つ以上の状態を判定するために、前記受信したデータを処理するように構成されるコンピュータデバイスに、前記受信したデータを伝達するように構成される、請求項７に記載の装置。
【請求項９】
前記コントローラまたは前記処理デバイスのうちの前記少なくとも一つは、前記創傷と関連する前記一つ以上の状態に基づき、前記創傷が治癒しつつあると示すように構成される、請求項８に記載の装置。
【請求項１０】
前記複数のセンサは、一つ以上の温度センサ、伝導度センサ、マルチスペクトル光学測定センサ、ｐＨセンサ、圧力センサ、比色センサ、光学センサ、紫外線（ＵＶ）センサまたは赤外線（ＩＲ）センサを備える、請求項１〜９のいずれか一項に記載の装置。
【請求項１１】
前記複数のセンサは、前記創傷を囲む前記皮膚の領域の超音波スイープを実施するように構成される、皮膚弾力性センサを備える、請求項１〜１０のいずれか一項に記載の装置。
【請求項１２】
前記創傷被覆材は、創傷接触層を備え、前記基材は、前記創傷接触層上または中に位置する、請求項１〜１１のいずれか一項に記載の装置。
【請求項１３】
前記創傷接触層の上に位置する吸収層と、前記創傷接触層の上に位置する裏当て層とをさらに備え、前記創傷接触層は、前記裏当て層に封止される、請求項１２に記載の装置。
【請求項１４】
前記裏当て層上にポートをさらに備え、前記ポートは、前記創傷被覆材を陰圧の源に接続するように構成される、請求項１３に記載の装置。
【請求項１５】
前記創傷被覆材は、陰圧を使用することなく、前記創傷を治療するように構成される、多層創傷被覆材の中に含まれる、請求項１〜１４のいずれか一項に記載の装置。
【請求項１６】
前記創傷被覆材とは別に、前記創傷の上に位置するように構成される、創傷パッキング層およびドレープをさらに備える、請求項１〜１５のいずれか一項に記載の装置。
【請求項１７】
前記創傷被覆材と流体連通するように構成され、さらに陰圧を前記創傷に印加するように構成される、陰圧源をさらに備える、請求項１〜１４および１６のいずれか一項に記載の装置。
【手続補正書】
【提出日】令和2年6月10日(2020.6.10)
【手続補正１】
【補正対象書類名】特許請求の範囲
【補正対象項目名】全文
【補正方法】変更
【補正の内容】
【特許請求の範囲】
【請求項１】
喫煙物品（１０，１００）で使用するためのカプセル（１２０）であって、
液体感覚促進材料と、
前記液体感覚促進材料を囲むシェルであって、前記シェルの外側表面（２３０）と共有結合した疎水性基によって疎水性にされる前記外側表面（２３０）を有する、シェルと、を含む、カプセル（１２０）。
【請求項２】
前記疎水性基が、脂肪酸部分または脂肪酸エステルを含む、請求項１に記載のカプセル（１２０）。
【請求項３】
前記脂肪酸または脂肪酸エステルが、１６〜２４個の炭素原子（Ｃ16〜Ｃ24）を有する脂肪族鎖を含む、請求項２に記載のカプセル（１２０）。
【請求項４】
前記疎水性基が、ハロゲン化物脂肪酸を前記シェルの前記外側表面上のペンダントヒドロキシル基と反応させることによって、前記シェルの前記外側表面と共有結合されて、それにより、脂肪酸エステル部分を形成する、請求項１〜３のいずれか１項に記載のカプセル（１２０）。
【請求項５】
前記共有結合が、多糖類のヒドロキシル基と前記ハロゲン化物脂肪酸との間にある、請求項４に記載のカプセル（１２０）。
【請求項６】
前記ハロゲン化物脂肪酸が脂肪酸塩化物である、請求項４または５に記載のカプセル（１２０）。
【請求項７】
前記脂肪酸塩化物が、パルミチン酸クロリド、ステアロイル酸クロリド、ベヘン酸クロリド、またはパルミチン酸クロリドおよびステアロイル酸クロリドの混合物である、請求項６に記載のカプセル（１２０）。
【請求項８】
前記カプセル（１２０）の前記シェルがゼラチンを含む、請求項１〜７のいずれか１項に記載のカプセル（１２０）。
【請求項９】
請求項１〜８のいずれか１項に記載のカプセル（１２０）と、前記カプセル（１２０）の下流のエアロゾル形成基体（２０）と、を備える、喫煙物品（１０）。
【請求項１０】
前記喫煙物品（１０）がマウスピース（５０）を備え、前記マウスピース（５０）が前記カプセル（１２０）を備える、請求項９に記載の喫煙物品（１０）。
【請求項１１】
前記マウスピース（５０）が、フィルター材料を備え、前記カプセル（１２０）が、前記フィルター材料内に埋め込まれる、請求項１０に記載の喫煙物品（１０）。
【請求項１２】
前記物品（１０）が、前記エアロゾル形成基体（２０）を加熱するが燃焼しないように構成される、請求項９〜１１のいずれか１項に記載の喫煙物品（１０）。
【請求項１３】
感覚促進材料および前記感覚促進材料を囲むシェルを含むカプセル（１２０）を製造するための方法であって、前記シェルが、疎水性外側表面（２３０）を有し、前記方法は、
前記シェルの外側表面（２３０）上の反応基をハロゲン化物脂肪酸と反応させることを含む、方法。
【請求項１４】
前記カプセル（１２０）の前記シェルの前記外側表面上の前記反応基が、ヒドロキシル部分を含む、請求項１３に記載の方法。
【請求項１５】
前記ハロゲン化物脂肪酸が、前記ヒドロキシル部分と反応して、脂肪酸エステル部分を形成する、請求項１４に記載の方法。
【手続補正書】
【提出日】令和2年7月31日(2020.7.31)
【手続補正１】
【補正対象書類名】特許請求の範囲
【補正対象項目名】全文
【補正方法】変更
【補正の内容】
【特許請求の範囲】
【請求項１】
磁気共鳴（ＭＲ）画像再構成方法を実施するためにコンピュータによって可読及び実行可能な命令を記憶した非一時的記憶媒体であって、前記ＭＲ画像再構成方法は、
再構成されたＭＲ画像を生成するために複数勾配エコーＭＲ撮像データの反復再構成を実施するステップであって、前記反復再構成が、前記複数勾配エコーＭＲ撮像データと前記再構成されたＭＲ画像とをリンクするモデルを使用し、前記モデルがパラメータ化磁場変動成分を含む、実施するステップと、
前記反復再構成を前記実施するステップの間に、前記モデルの前記パラメータ化磁場変動成分のパラメータに関して前記再構成されたＭＲ画像の偏導関数に依存するコスト関数を最適化するために、前記モデルの前記パラメータ化磁場変動成分の前記パラメータを更新するステップと
を有する、非一時的記憶媒体。
【請求項２】
前記パラメータ化磁場変動成分が
【数１６】
2019527596.tif 000001
を含み、ここで、ＴＥがｋ空間ロケーションｋ（ｔ）における前記複数勾配エコーＭＲ撮像データのエコー時間であり、ω（ｒ，ｋ（ｔ））が前記パラメータ化磁場変動成分のパラメータを含む、請求項１に記載の非一時的記憶媒体。
【請求項３】
前記複数勾配エコーＭＲ撮像データと再構成されたＭＲ画像とをリンクする前記モデルが、
【数１７】
2019527596.tif 000002
を含み、
ここで、ｆ（ｒ，ＴＥ）が前記再構成されたＭＲ画像であり、ｓｃ（ｒ）及びその複素共役
【数１８】
2019527596.tif 000003
がＭＲ受信コイル感度をモデル化し、ＦＴがフーリエ変換を示し、ＦＴ−１が逆フーリエ変換を示し、
【数１９】
2019527596.tif 000004
が、磁場変動によって破損した前記再構成されたＭＲ画像である、請求項２に記載の非一時的記憶媒体。
【請求項４】
前記パラメータ化磁場変動成分が、３つの直交空間軸の各々に沿った線形変動として磁場変動の空間変動をモデル化する、請求項１から３のいずれか一項に記載の非一時的記憶媒体。
【請求項５】
前記パラメータ化磁場変動成分が、空間的に均一な時間磁場変動として磁場変動をモデル化し、前記パラメータ化磁場変動成分が
【数２０】
2019527596.tif 000005
を含み、ここで、ＴＥがｋ空間ロケーションｋにおける前記複数勾配エコーＭＲ撮像データのエコー時間であり、ω（ｋ）が前記パラメータ化磁場変動成分のパラメータを含む、請求項１に記載の非一時的記憶媒体。
【請求項６】
前記複数勾配エコーＭＲ撮像データと再構成されたＭＲ画像とをリンクする前記モデルが、
【数２１】
2019527596.tif 000006
を含み、
ここで、
【数２２】
2019527596.tif 000007
が前記複数勾配エコーＭＲ撮像データであり、
【数２３】
2019527596.tif 000008
がＭＲ受信コイル感度をモデル化し、ＦＴ−１が逆フーリエ変換を示し、ｆ（ｒ，ＴＥ，ω（ｋ））が磁場変動によって破損した前記再構成されたＭＲ画像である、請求項５に記載の非一時的記憶媒体。
【請求項７】
前記パラメータ化磁場変動成分が、前記複数勾配エコーＭＲ撮像データを生成したＭＲ撮像データ取得の単一の繰返し時間（ＴＲ）にわたって時間的に一定であるものとして磁場変動をモデル化する、請求項１から６のいずれか一項に記載の非一時的記憶媒体。
【請求項８】
前記コスト関数が総変動（ＴＶ）コスト関数を含む、請求項１から７のいずれか一項に記載の非一時的記憶媒体。
【請求項９】
前記更新するステップが、前記コスト関数を最適化するために前記モデルの前記パラメータ化磁場変動成分の前記パラメータを更新するためにＢｒｏｙｄｅｎ−Ｆｌｅｔｃｈｅｒ−Ｇｏｌｄｆａｒｂ−Ｓｈａｎｎｏ（ＢＦＧＳ）アルゴリズムを適用するステップを有する、請求項１から８のいずれか一項に記載の非一時的記憶媒体。
【請求項１０】
記憶された前記命令が、
Ｒ２＊マップを生成するために前記再構成されたＭＲ画像を使用するＲ２＊マッピングと、
感受性強調撮像（ＳＷＩ）画像を生成するために前記再構成されたＭＲ画像を使用する感受性強調撮像（ＳＷＩ）と、
定量的感受性マッピング（ＱＭＳ）マップを生成するために前記再構成されたＭＲ画像を使用する定量的感受性マッピング（ＱＭＳ）と
のうちの１つ又は複数を実施するために、前記コンピュータによって更に可読及び実行可能である、請求項１から９のいずれか一項に記載の非一時的記憶媒体。
【請求項１１】
コンピュータと、
再構成された磁気共鳴（ＭＲ）画像を生成するために複数勾配エコーＭＲ撮像データの反復再構成を実施するステップを有するＭＲ画像再構成方法を実施するために前記コンピュータによって可読及び実行可能な命令を記憶した非一時的記憶媒体であって、前記反復再構成が、前記複数勾配エコーＭＲ撮像データと前記再構成されたＭＲ画像とをリンクするモデルを使用し、前記モデルが、前記反復再構成の間に更新されるパラメータを含むパラメータ化磁場変動成分を含む、非一時的記憶媒体と
を備え、
前記反復再構成が、前記パラメータ化磁場変動成分の前記パラメータに関して前記再構成されたＭＲ画像の偏導関数に依存するコスト関数を最適化するために、前記反復再構成の間に前記モデルの前記パラメータ化磁場変動成分の前記パラメータを更新することを含む、ＭＲ画像再構成デバイス。
【請求項１２】
前記パラメータ化磁場変動成分がω（ｒ，ｋ（ｔ））ＴＥの関数を含み、ここで、ＴＥがｋ空間ロケーションｋ（ｔ）における前記複数勾配エコーＭＲ撮像データのエコー時間であり、ω（ｒ，ｋ（ｔ））が前記パラメータ化磁場変動成分のパラメータを含み、前記パラメータ化磁場変動成分がω（ｒ，ｋ（ｔ））ＴＥの指数関数を含む、請求項１１に記載のＭＲ画像再構成デバイス。
【請求項１３】
前記パラメータ化磁場変動成分が、３つの直交空間軸の各々に沿った線形変動を含むものとしてω（ｒ，ｋ（ｔ））をモデル化する、請求項１２に記載のＭＲ画像再構成デバイス。
【請求項１４】
前記パラメータ化磁場変動成分が、空間的に均一な時間磁場変動として磁場変動をモデル化し、前記パラメータ化磁場変動成分が（ω（ｋ））ＴＥの関数を含み、ここで、ＴＥが、ｋ空間ロケーションｋにおける前記複数勾配エコーＭＲ撮像データのエコー時間であり、ω（ｋ）が前記パラメータ化磁場変動成分のパラメータを含む、請求項１１に記載のＭＲ画像再構成デバイス。
【請求項１５】
前記パラメータ化磁場変動成分が、前記複数勾配エコーＭＲ撮像データを生成したＭＲ撮像データ取得の各繰返し時間（ＴＲ）にわたって時間的に一定であるものとして磁場変動をモデル化する、請求項１１から１４のいずれか一項に記載のＭＲ画像再構成デバイス。
【手続補正書】
【提出日】令和2年7月29日(2020.7.29)
【手続補正１】
【補正対象書類名】特許請求の範囲
【補正対象項目名】全文
【補正方法】変更
【補正の内容】
【特許請求の範囲】
【請求項１】
装置であって、
画像記録装置に前記装置を取り付けるための手段と、
機械的手段が皮膚に押し付けられた場合に、所定の圧力の影響下で前記皮膚が変形するように構成された前記機械的手段と、
を有し、
前記機械的手段は、前記装置が前記画像記録装置に取り付けられた場合に、前記変形された皮膚の画像が前記画像記録装置によって記録されることができるように構成され、
前記機械的手段は、
外側構造と、
前記外側構造の内部に部分的に配置される内側構造であって、前記内側構造の一部が前記外側構造の外側に配置され、前記内側構造が前記外側構造の内側で移動可能であり、前記装置が皮膚に押し付けられたときに皮膚に接触する前記内側構造の端部が開口を有し、前記開口は皮膚が前記開口から突き出ることを可能とする、前記内側構造と、
前記所定の圧力を供給するためのばねであって、前記ばねは、前記内側構造に結合されるとともに、前記内側構造の一部が前記外側構造の内部で移動した場合に圧縮するように配置される、前記ばねと、
を有し、
前記内側構造は、前記装置が前記皮膚に押し付けられ、前記内側構造が前記外側構造の内側で移動した場合に、前記皮膚を変形させるように構成され、
前記装置は、前記内側構造の内部に配置される第１のミラーを更に有する、装置。
【請求項２】
前記第１のミラーが、前記画像記録装置によってとられた画像が或る角度で前記皮膚の変形のビューを含むように配置される、請求項１記載の装置。
【請求項３】
前記装置が、第２のミラーを更に有し、前記第１のミラーが、一方の方向から前記皮膚の変形に向かって光を反射するように配置され、前記第２のミラーが、他方の方向から前記皮膚の変形に向かって光を反射するように配置される、請求項２記載の装置。
【請求項４】
前記内側構造が、前記装置が前記皮膚に対して押下されるとともに前記内側構造が前記外側構造の内部で移動した場合に、互いに向かって移動するように構成された２つの要素を有し、これにより、前記２つの要素間において前記皮膚を折り重ならせる、請求項１乃至３のいずれか１項に記載の装置。
【請求項５】
前記内側構造が、前記装置が前記皮膚に対して押下されるとともに前記内側構造が前記外側構造の内部で移動した場合に、２つの要素間に存在する皮膚のドーミングを引き起こすように構成された前記２つの要素を有する、請求項１乃至４のいずれか１項に記載の装置。
【請求項６】
皮膚の弾力性を決定するためのシステムであって、
前記皮膚の変形を撮像するための撮像装置と前記皮膚の変形を照明するための光源とを有する画像記録装置と、
画像処理技術を用いて前記画像における前記皮膚の変形量を決定するとともに、前記決定された皮膚の変形量及び前記所定の圧力値に基づいて皮膚の弾力性を決定するように構成されたプロセッサと、
を有する、システム。
【請求項７】
前記皮膚の変形量を決定することが、前記変形された皮膚領域における皮膚の折り重なりの大きさ及び／又は量を決定することを含む、請求項６記載のシステム。
【請求項８】
前記皮膚の変形量を決定することが、前記画像における光強度差を分析することを含む、請求項６又は７に記載のシステム。
【請求項９】
請求項１乃至８のいずれか１項に記載の装置又はシステムにより皮膚の弾力性を決定するための方法であって、
変形された皮膚の画像を受信するステップと、
前記変形された皮膚を作るために前記皮膚がさらされた圧力値を受信するステップと、
画像処理技術を用いて前記画像における前記皮膚の変形量を決定するステップと、
前記皮膚の変形量及び前記圧力値に基づいて前記皮膚の弾力性を決定するステップと、
を有する、方法。
【請求項１０】
前記皮膚の変形量を決定するステップが、前記変形された皮膚領域における皮膚の折り重なりの大きさ及び／又は量を決定するステップを含む、請求項９記載の方法。
【請求項１１】
前記皮膚の変形量を決定するステップが、前記画像における光強度差を分析するステップを含む、請求項９又は１０に記載の方法。
【請求項１２】
前記光強度差を分析するステップが、
光強度閾値を設定するステップと、
前記閾値よりも大きい光強度を持つ前記画像の領域を計算するステップと、
前記計算された領域に基づいて前記皮膚の変形量を決定するステップと、
を有する、請求項１１記載の方法。
【請求項１３】
前記光強度さを分析するステップが、
第１の光強度閾値を設定するステップと、
前記第１の閾値よりも大きい光強度を持つ前記画像の第１の領域を計算するステップと、
前記第１の閾値よりも小さい第２の光強度閾値を設定するステップと、
前記第２の閾値よりも小さい光強度を持つ前記画像の第２の領域を計算するステップと、
前記計算された第１及び第２の領域を用いて前記皮膚の変形量を決定するステップと、
を有する、請求項１１又は１２に記載の方法。
【請求項１４】
画像記録装置に前記装置を取り付けるための手段が取り付けられた前記装置を使用するステップを更に有し、前記画像記録装置が、スマートフォンを含む、請求項１１乃至１３のいずれか１項に記載の方法。
【誤訳訂正書】
【提出日】令和2年8月18日(2020.8.18)
【誤訳訂正１】
【訂正対象書類名】特許請求の範囲
【訂正対象項目名】全文
【訂正方法】変更
【訂正の内容】
【特許請求の範囲】
【請求項１】
第一胃細菌をバイパスする、反芻動物への葉酸の栄養補給の方法であって、
(i)水中で葉酸を強塩基と混合するステップ、
(ii)得られた水溶液中で葉酸を水溶性金属塩と混合して混合物を得るステップであって、金属が亜鉛、銅、鉄及びマンガンからなる群から選択される、ステップ、及び
(iii)混合物を反芻動物に供給するステップ
を含み、
金属塩陰イオンが、硫酸イオン、塩化物イオン、酢酸イオン、リン酸イオン及び硝酸イオンからなる群から選択される、方法。
【請求項２】
強塩基が、水酸化ナトリウムである、請求項1に記載の方法。
【請求項３】
金属塩陰イオンが、硝酸イオンである、請求項1又は2に記載の方法。
【請求項４】
ステップ(ii)において、脂肪酸の存在下で葉酸を水溶性金属塩と混合することを除く、請求項1〜3のいずれか1項に記載の方法。
【請求項５】
反芻動物が、ウシ、ヤギ及びヒツジからなる群から選択される、請求項1〜4のいずれか1項に記載の方法。
【請求項６】
葉酸と水溶性金属塩とのモル比が1:1〜1:25である、請求項1〜5のいずれか1項に記載の方法。
【請求項７】
水溶性金属塩が非毒性担体上に置かれる、請求項1〜6のいずれか1項に記載の方法。
【請求項８】
担体が、蒸留所発酵可溶物、飼料用穀物、トウモロコシ穂軸粉、乳清及び他のセルロース物質からなる群から選択される、請求項7に記載の方法。
【請求項９】
混合物の供給が、20mg/頭/日〜160mg/頭/日の葉酸等価物となる割合で行われる、請求項1〜8のいずれか1項に記載の方法。
【請求項１０】
供給が、40mg/頭/日〜80mg/頭/日の割合で行われる、請求項9に記載の方法。
【請求項１１】
担体上の混合物が、さらなる一般的な飼料用成分と混合される、請求項7に記載の方法。
【請求項１２】
反芻動物の血清中葉酸レベルを増加させるために、第一胃において安定であるが、腸に可溶である組成物であって、
鉄、銅、亜鉛及びマンガンからなる群から選択される金属の水溶性金属塩と共に溶解した葉酸を含み、
金属塩が、硫酸イオン、硝酸イオン、リン酸イオン、塩化物イオン及び酢酸イオンからなる群から選択される陰イオンを有する、組成物。
【請求項１３】
金属塩が、硝酸イオンを有する、請求項12に記載の組成物。
【請求項１４】
蒸留所発酵可溶物、飼料用穀物、トウモロコシ穂軸粉、乳清及び他のセルロース担体からなる群から選択される担体と混合される、請求項12又は13に記載の組成物。
【手続補正書】
【提出日】令和2年11月9日(2020.11.9)
【手続補正１】
【補正対象書類名】特許請求の範囲
【補正対象項目名】全文
【補正方法】変更
【補正の内容】
【特許請求の範囲】
【請求項１】
ポリペプチドを含むキメラ抗原受容体（ＣＡＲ）であって、
（ａ）第１のＢＣＭＡ結合部分及び第２のＢＣＭＡ結合部分を含む細胞外抗原結合ドメインであって、前記第１のＢＣＭＡ結合部分が、第１の抗ＢＣＭＡ ｓｄＡｂであり、前記第２のＢＣＭＡ結合部分が、第２の抗ＢＣＭＡ ｓｄＡｂであり、前記第１の及び第２のｓｄＡｂのそれぞれがＶＨＨドメインである、細胞外抗原結合ドメインと、
（ｂ）膜貫通ドメインと、
（ｃ）細胞内シグナル伝達ドメインと、を含み、
（ｉ）前記第１の抗ＢＣＭＡ ｓｄＡｂが、配列番号１０のアミノ酸配列を含むＣＤＲ１、配列番号４８のアミノ酸配列を含むＣＤＲ２、及び配列番号８６のアミノ酸配列を含むＣＤＲ３を含み、
（ｉｉ）前記第２の抗ＢＣＭＡ ｓｄＡｂが、配列番号３のアミノ酸配列を含むＣＤＲ１、配列番号４１のアミノ酸配列を含むＣＤＲ２、及び配列番号７９のアミノ酸配列を含むＣＤＲ３を含む、
前記キメラ抗原受容体（ＣＡＲ）。
【請求項２】
前記第１の抗ＢＣＭＡ ｓｄＡｂが、配列番号１２４のアミノ酸配列を含み、前記第２の抗ＢＣＭＡ ｓｄＡｂが、配列番号１１７のアミノ酸配列を含む、請求項１に記載のＣＡＲ。
【請求項３】
前記膜貫通ドメインが、ＣＤ８α、ＣＤ４、ＣＤ２８、ＣＤ１３７、ＣＤ８０、ＣＤ８６、ＣＤ１５２、及びＰＤ１から成る群から選択される分子に由来する、請求項１または２に記載のＣＡＲ。
【請求項４】
前記膜貫通ドメインが、ＣＤ８αまたはＣＤ２８に由来する、請求項３に記載のＣＡＲ。
【請求項５】
前記細胞内シグナル伝達ドメインが、免疫エフェクター細胞の一次細胞内シグナル伝達ドメインを含む、請求項１〜４のいずれか１項に記載のＣＡＲ。
【請求項６】
前記一次細胞内シグナル伝達ドメインが、ＣＤ３ζに由来する、請求項５に記載のＣＡＲ。
【請求項７】
前記細胞内シグナル伝達ドメインが、共刺激シグナル伝達ドメインを含む、請求項１〜６のいずれか１項に記載のＣＡＲ。
【請求項８】
前記共刺激シグナル伝達ドメインが、ＣＤ２７、ＣＤ２８、ＣＤ１３７、ＯＸ４０、ＣＤ３０、ＣＤ４０、ＣＤ３、ＬＦＡ−１、ＩＣＯＳ、ＣＤ２、ＣＤ７、ＬＩＧＨＴ、ＮＫＧ２Ｃ、Ｂ７−Ｈ３、ＣＤ８３のリガンド、及びこれらの組み合わせから成る群から選択される共刺激分子に由来する、請求項７に記載のＣＡＲ。
【請求項９】
前記共刺激シグナル伝達ドメインが、ＣＤ２８の細胞質ドメイン及び／またはＣＤ１３７の細胞質ドメインを含む、請求項８に記載のＣＡＲ。
【請求項１０】
前記細胞外抗原結合ドメインのＣ末端と前記膜貫通ドメインのＮ末端との間に位置するヒンジドメインをさらに含む、請求項１〜９のいずれか１項に記載のＣＡＲ。
【請求項１１】
前記ヒンジドメインが、ＣＤ８αに由来する、請求項１０に記載のＣＡＲ。
【請求項１２】
前記ポリペプチドのＮ末端に位置するシグナルペプチドをさらに含む、請求項１〜１１のいずれか１項に記載のＣＡＲ。
【請求項１３】
前記シグナルペプチドが、ＣＤ８αに由来する、請求項１２に記載のＣＡＲ。
【請求項１４】
配列番号３００〜３０５から成る群から選択されるアミノ酸配列を含む、キメラ抗原受容体（ＣＡＲ）。
【請求項１５】
前記ＣＡＲが、配列番号３００のアミノ酸配列を含む、請求項１４に記載のＣＡＲ。
【請求項１６】
前記ＣＡＲが、配列番号３０１のアミノ酸配列を含む、請求項１４に記載のＣＡＲ。
【請求項１７】
前記ＣＡＲが、配列番号３０２のアミノ酸配列を含む、請求項１４に記載のＣＡＲ。
【請求項１８】
前記ＣＡＲが、配列番号３０３のアミノ酸配列を含む、請求項１４に記載のＣＡＲ。
【請求項１９】
前記ＣＡＲが、配列番号３０４のアミノ酸配列を含む、請求項１４に記載のＣＡＲ。
【請求項２０】
前記ＣＡＲが、配列番号３０５のアミノ酸配列を含む、請求項１４に記載のＣＡＲ。
【請求項２１】
請求項１〜２０のいずれか１項に記載のＣＡＲをコードする核酸配列を含む、単離された核酸。
【請求項２２】
前記単離された核酸が、配列番号３３８〜３４３から成る群から選択される核酸配列を含む、請求項２１に記載の単離された核酸。
【請求項２３】
請求項２１または２２に記載の単離された核酸を含む、ベクター。
【請求項２４】
請求項１〜２０のいずれか１項に記載のＣＡＲ、請求項２１または２２に記載の単離された核酸、または請求項２３に記載のベクターを含む、操作された免疫エフェクター細胞。
【請求項２５】
前記免疫エフェクター細胞が、Ｔ細胞である、請求項２４に記載の操作された免疫エフェクター細胞。
【請求項２６】
請求項２４または２５に記載の操作された免疫エフェクター細胞、及び薬学的に許容される担体を含む、薬学的組成物。
【請求項２７】
固体におけるがんを治療するための医薬品の製造における、請求項２４または２５に記載の操作された免疫エフェクター細胞の使用であって、前記がんが、ＢＣＭＡを発現する細胞を含むものである、前記使用。
【請求項２８】
前記がんが、多発性骨髄腫である、請求項２７に記載の使用。
【請求項２９】
前記がんが、難治性または再発性の多発性骨髄腫である、請求項２７に記載の使用。
【手続補正書】
【提出日】令和2年7月30日(2020.7.30)
【手続補正１】
【補正対象書類名】特許請求の範囲
【補正対象項目名】全文
【補正方法】変更
【補正の内容】
【特許請求の範囲】
【請求項１】
消費するのに適した量の飲料を調製するためのシステムであって、
任意選択的な、第１の出口面を有する第１の交換可能カプセルと、第２の出口面を有する第２の交換可能カプセルとであって、前記第２の出口面は前記第１の出口面よりも大きな直径を有する、第１の交換可能カプセル及び第２の交換可能カプセルと、
装置であって、前記第１の出口面及び前記第２の出口面のうちの一方と選択的に係合するための複数のレリーフ要素を有する抽出プレートと、前記交換可能カプセルのうちの選択されたものに対して水などの一定量の加圧流体を供給することで、その出口面を前記レリーフ要素上に押し付けて前記出口面を開放する、流体分配デバイスと、を含む、装置と、
を含む、システム。
【請求項２】
前記装置は、前記第１の交換可能カプセル及び前記第２の交換可能カプセルのうちの一方を選択的に保持するためのキャビティを有する第１の淹出チャンバ部分と、前記第１のカプセル又は前記第２のカプセルを取り囲んで前記第１の淹出チャンバ部分を閉鎖する第２の淹出チャンバ部分とを備える、請求項１に記載のシステム。
【請求項３】
前記第２の淹出チャンバ部分は、前記第１の出口面又は前記第２の出口面に当接するための前記抽出プレートを有し、前記抽出プレートは中央部分及び周辺部分を含む、請求項２に記載のシステム。
【請求項４】
前記中央部分は、前記周辺部分に対して、好ましくは少なくとも部分的に軸方向の移動方向である、移動方向に移動可能である、請求項３に記載のシステム。
【請求項５】
前記中央部分は、第１の位置において、前記第１の交換可能カプセルのための淹出チャンバを形成するために前記第１の淹出チャンバ部分に対して閉鎖し、第２の位置において、前記第２の交換可能カプセルのための淹出チャンバを形成するために前記第１の淹出チャンバ部分に対して閉鎖するように構成されている、請求項４に記載のシステム。
【請求項６】
前記抽出プレートは、第１のタイプのレリーフ要素、及び第２のタイプの１つ以上のレリーフ要素を含む、請求項１から５のいずれか一項に記載のシステム。
【請求項７】
前記第１のタイプの前記レリーフ要素は前記中央部分上に構成されている、請求項６に記載のシステム。
【請求項８】
前記第２のタイプの前記レリーフ要素は前記中央部分上に構成されている、請求項６又は７に記載のシステム。
【請求項９】
前記第２のタイプのレリーフ要素は、前記第１のタイプのレリーフ要素を取り囲むように構成されている、請求項６から８のいずれか一項に記載のシステム。
【請求項１０】
前記第１のタイプの前記レリーフ要素は、前記第１の出口面に対応するエリア内に構成されており、前記第２のタイプの前記１つ以上のレリーフ要素は、前記第２の出口面に対応するエリア内、かつ前記第１の出口面に対応する前記エリアの外に構成されている、請求項６から９のいずれか一項に記載のシステム。
【請求項１１】
前記第２のタイプの前記レリーフ要素は、前記第１のタイプの前記レリーフ要素よりも鋭い縁部を有している、請求項６から１０のいずれか一項に記載のシステム。
【請求項１２】
前記抽出プレート及び前記第２の出口面は、前記第２の出口面の開放されたときの流れ抵抗が、前記第１の出口面の開放されたときの流れ抵抗より小さくなるように互いに適合されている、請求項１から１１のいずれか一項に記載のシステム。
【請求項１３】
前記抽出プレート及び前記第２の出口面は、前記第２の出口面が前記第１の出口面よりも大きな表面積にわたって、前記抽出プレートで引き裂かれるように互いに適合されている、請求項１から１２のいずれか一項に記載のシステム。
【請求項１４】
前記抽出プレート及び前記第２の出口面は、前記第２の出口面が前記第１の出口面よりも多くの箇所で、前記抽出プレートで引き裂かれるように互いに適合されている、請求項１から１３のいずれか一項に記載のシステム。
【請求項１５】
外側レリーフ要素は、前記第１及び第２の出口面の両方を引き裂くように設計されており、前記第２の出口面は、前記第１の出口面よりも大きな表面積にわたって、前記外側レリーフ要素で引き裂かれる、請求項１から１４のいずれか一項に記載のシステム。
【請求項１６】
前記第２の出口面は、弱化された領域を有している、請求項１から１５のいずれか一項に記載のシステム。
【請求項１７】
前記弱化された領域は、前記第２の出口面の周辺エリアに配置されている、請求項８に記載のシステム。
【請求項１８】
前記キャビティは、前記第１又は第２のカプセルを保持するための不変の形状を有する、請求項２、又は請求項２から従属する限りにおいて請求項３から１７のいずれか一項に記載のシステム。
【請求項１９】
淹出中に前記キャビティが前記第２のカプセルを保持しているときに、前記周辺部分が、前記第２の出口面に当接するように構成されている、請求項３、又は請求項３から従属する限りにおいて請求項４から１８のいずれか一項に記載のシステム。
【請求項２０】
前記キャビティは、淹出中に前記第１のカプセルを保持しているときに、前記周辺部分が前記第１の淹出チャンバ部分に対して当接するように構成されている、請求項３、又は請求項３に従属する限りにおいて請求項４から１９のいずれか一項に記載のシステム。
【請求項２１】
淹出中に前記キャビティが前記第２のカプセルを保持しているときに、前記中央部分が前記第２の出口面に当接するように構成されている、請求項３、又は請求項３に従属する限りにおいて請求項４から２０のいずれか一項に記載のシステム。
【請求項２２】
淹出中に前記キャビティが前記第１のカプセルを保持しているときに、前記中央部分が前記第１の出口面に当接するように構成されている、請求項３、又は請求項３に従属する限りにおいて請求項４から２１のいずれか一項に記載のシステム。
【請求項２３】
前記周辺部分はレリーフ要素を含まない、請求項３、又は請求項３に従属する限りにおいて請求項４から２２のいずれか一項に記載のシステム。
【請求項２４】
前記周辺部分は、淹出中に前記キャビティが前記第２のカプセルを保持しているときに、前記第２の出口面に当接するための封止面を含む、請求項３、又は請求項３に従属する限りにおいて請求項４から２３のいずれか一項に記載のシステム。
【請求項２５】
請求項１〜２４のいずれか一項に記載のシステムの装置。
【手続補正書】
【提出日】令和2年7月21日(2020.7.21)
【手続補正１】
【補正対象書類名】特許請求の範囲
【補正対象項目名】全文
【補正方法】変更
【補正の内容】
【特許請求の範囲】
【請求項１】
近位端（４ａ）から遠位端（４ｂ）まで長手方向に延在するカテーテル本体（２１５）を備える、中空器官へのアクセスを提供するように構成されたカテーテル装置（２００）であって、
前記カテーテル本体（２１５）は、
前記カテーテル本体（２１５）の前記近位端（４ａ）から前記遠位端（４ｂ）まで前記カテーテル本体（２１５）の長手方向に実質的に沿って延在する細長いチャネル（３０）であって、取り外し可能な針装置（３００）の細長い針（３１０）を受容するように構成されているチャネル（３０）と、
前記カテーテル本体（２１５）の前記遠位端（４ｂ）から近位方向に延在する１つ以上の切刃（２１０）と、
針装置（３００）を前記カテーテル装置（２００）に連結するために、前記針装置（３００）の１つ以上のキャッチ（３４０）と嵌合するように適合された１つ以上の凹部（２４０）と、
を備える、カテーテル装置（２００）。
【請求項２】
前記カテーテル本体（２１５）は、上面（２０１）及び底面（２０２）を備え、
前記上面（２０１）と前記底面（２０２）の両方は、前記カテーテル本体（２１５）の前記近位端（４ａ）に、又は前記カテーテル本体（２１５）の前記近位端（４ａ）の近くに設けられている凹部（２４０）を備える、請求項１に記載のカテーテル装置（２００）。
【請求項３】
前記切刃（２１０）は、実質的に直線状である、請求項１又は２に記載のカテーテル装置（２００）。
【請求項４】
前記切刃（２１０）は、実質的に湾曲している、請求項１又は２に記載のカテーテル装置（２００）。
【請求項５】
少なくとも１つの前記切刃（２１０）は、のこぎり形状部（２５０）を備える、請求項１〜４のいずれか一項に記載のカテーテル装置（２００）。
【請求項６】
前記カテーテル本体（２１５）の前記近位端（４ａ）に、又は前記カテーテル本体（２１５）の前記近位端（４ａ）の近くに設けられ、使用者による前記カテーテル本体（２１５）への操作を可能にするように構成されたグリップ（２３０）をさらに備える、請求項１〜５のいずれかに記載のカテーテル装置（２００）。
【請求項７】
前記カテーテル本体（２１５）は、ポリマー又はポリマーの混合物によって構成された、請求項１〜６のいずれか一項に記載のカテーテル装置（２００）。
【請求項８】
中空の挿入チューブ（８）をさらに備え、
前記挿入チューブ（８）は、前記カテーテル本体（２１５）の前記遠位端（４ｂ）において前記カテーテル本体（２１５）に取り付けられており、
前記挿入チューブ（８）の内腔（３２）は、前記カテーテル本体（２１５）の前記チャネル（３０）と位置合わせされている、請求項１〜７のいずれかに記載のカテーテル装置（２００）。
【請求項９】
ハンドル（３２０）と針（３１０）とを有する針装置（３００）であって、
前記ハンドル（３２０）は、下部ピボット（３３０）と上部ピボット（３３５）とが組み込まれた中央部分と、前記上部ピボット（３３５）を中心にして回転するように構成された上部グリップ（３２５）と、前記下部ピボット（３３０）を中心にして回転するように構成された下部グリップ（３２６）とを備え、
前記上部グリップ（３２５）と前記下部グリップ（３２６）とのそれぞれは、カテーテル装置（２００）の凹部（２４０）との嵌に適したキャッチ（３４０）を備え、
前記針（３１０）は、前記針（３１０）の遠位端（３９１）にある切断部分を備え、
前記ハンドル（３２０）の中央部分は、ハンドル内腔を備える、
針装置（３００）。
【請求項１０】
前記針（３１０）は、針内腔を有する中空針であり、
前記針内腔と前記ハンドル内腔とは、連続した通路を形成する、
請求項９に記載の針装置（３００）。
【請求項１１】
前記上部グリップ（３２５）の前記キャッチ（３４０）は、前記上部グリップ（３２５）の遠位端（３２２）に、又は前記上部グリップ（３２５）の前記遠位端（３２２）の近くに配置されており、
前記下部グリップ（３２６）の前記キャッチ（３４０）は、前記下部グリップ（３２６）の遠位端（３２４）に、又は前記下部グリップ（３２６）の前記遠位端（３２４）の近くに配置されている、請求項９又は１０に記載の針装置（３００）。
【請求項１２】
前記上部ピボット（３３５）と前記下部ピボット（３３０）とは、バネで付勢されている、請求項９〜１１のいずれか一項に記載の針装置（３００）。
【請求項１３】
請求項１に記載のカテーテル装置（２００）と、
請求項９に記載の針装置（３００）と、
を含む、キット（１００）。
【請求項１４】
ガイドワイヤ（５００）を通過させるように構成された治療用カテーテルをさらに含む、請求項１３に記載のキット（１００）。
【請求項１５】
前記カテーテルのチャネル（３０）を通して、前進させて除去するように構成されたガイドワイヤ（５００）をさらに含む、請求項１３又は１４に記載のキット（１００）。